(57)【要約】【課題】  表示スペースが広く、抽斗ケースを積み重ねた場合にも出し入れ側の正面、および上方から収納物情報を的確に視認できると共に、その表示部を保護するカバー部材も簡単に着脱でき、また、水切り機能を設けることによって水が懸かって表示が損なわれるのを防ぐことができる抽斗ケースの表示部カバー構造を提供すること。【解決手段】  抽斗ケース１の出し入れ側の上角縁の上面と、この上面の前端から屈曲して延びる前面とをカバーするための略Ｌ型を成す透視可能なアングルバー材２において、このアングルバー材２の両端には側板を備え、かつ、この側板の内面の下端近傍に係合部を形成し、このアングルバー材２がカバーする抽斗ケース１の前面側の左右上角側面には、前記アングルバー材２の側板を被せ、前記係合部が位置したとき、この係合部と係合して抜け出しを阻止する掛け止め部を形成している。【選択図】  図１
2014213168.tif 000002
【特許請求の範囲】
【請求項１】
搬送カート等のラックフレーム(Ｒ)に出し入れ可能に収納する抽斗ケース(１)と、この抽斗ケース(１)の出し入れ側の上角縁(11)の上面(11a)と、この上面(11a)の前端から屈曲して延びる前面(11b)とをカバーするための略Ｌ型を成す透視可能なアングルバー材(２)であって、このアングルバー材(２)の両端には側板(21)(21)を備え、かつ、この側板(21)(21)の内面の下端近傍には係合部(2a)(2a)が形成されており、
このアングルバー材(２)がカバーする抽斗ケース(１)の前面側の左右上角側面(11c)(11c)には、前記アングルバー材(２)の側板(21)(21)が被さって前記係合部(2a)(2a)が位置したとき、この係合部(2a)(2a)と係合して抜け出しを阻止する掛け止め部(11d)(11d)が形成されていることを特徴とする抽斗ケースの表示部カバー構造。
【請求項２】
搬送カート等のラックフレーム(Ｒ)に出し入れ可能に収納する抽斗ケース(１)と、この抽斗ケース(１)の出し入れ側の上角縁(11)の上面(11a)と、この上面(11a)の前端から屈曲して延びる前面(11b)とをカバーするための略Ｌ型を成す透視可能なアングルバー材(２)であって、このアングルバー材(２)の両端には側板(21)(21)を備え、かつ、この側板(21)(21)の内面上部から下部に向けてガイドレール(2b)(2b)が凸成され、かつ、このガイドレール(2b)(2b)の下端近傍には係合部(2a)(2a)が形成されており、
抽斗ケース(１)の前面側の左右上角側面(11c)(11c)には、前記アングルバー材(２)の側板(21)(21)が被さる際に、前記ガイドレール(2b)(2b)と対向する位置にガイドスロット(11e)(11e)が凹設されていると共に、前記係合部(2a)(2a)が位置したとき、この係合部(2a)(2a)と係合して抜け出しを阻止する掛け止め部(11d)(11d)を有することを特徴とする抽斗ケースの表示部カバー構造。
【請求項３】
搬送カート等のラックフレーム(Ｒ)に出し入れ可能に収納する抽斗ケース(１)と、この抽斗ケース(１)の出し入れ側の上角縁(11)の上面(11a)と、この上面(11a)の前端から屈曲して延びる前面(11b)とをカバーするための略Ｌ型を成す透視可能なアングルバー材(２)であって、このアングルバー材(２)の両端には側板(21)(21)を備え、かつ、この側板(21)(21)の内面上部から下部に向けてガイドレール(2b)(2b)が凸成され、かつ、このガイドレール(2b)(2b)の下端近傍には係合部(2a)(2a)が形成される一方、
このアングルバー材(２)が抽斗ケース(１)の上面(11a)に当接すべき上板(22)の後端縁は当該抽斗ケースの上面(11a)に掛合可能な引掛フック(2c)が形成されており、
更に、このアングルバー材(２)がカバーする抽斗ケース(１)の前面側の左右上角側面(11c)(11c)には、前記アングルバー材(２)の側板(21)(21)が被さる際に、前記ガイドレール(2b)(2b)と対向する位置にガイドスロット(11e)(11e)が凹設されていると共に、前記係合部(2a)(2a)が位置したとき、この係合部(2a)(2a)と係合して抜け出しを阻止する掛け止め部(11d)(11d)を有することを特徴とする抽斗ケースの表示部カバー構造。
【請求項４】
抽斗ケース(１)の出し入れ側における上角縁(11)、および、抽斗ケース(１)の前面側の左右上角側面に被さるアングルバー材(２)を、透明な合成樹脂材料によって作製することを特徴とする請求項１から３の何れか１項に記載の抽斗ケースの表示部カバー構造。
【請求項５】
抽斗ケース(１)の出し入れ側における上角縁(11)の上面(11a)、および前面(11b)に、この上面(11a)と前面(11b)を覆う中折れ型の表示カード(３)を挿入可能に構成されたことを特徴とする請求項１から３の何れか１項に記載の抽斗ケースの表示部カバー構造。
【請求項６】
抽斗ケース(１)の出し入れ側における上角縁(11)の上面(11a)と前面(11b)とを覆う表示カード(３)が紙材料で作製されていることを特徴とする請求項１から３の何れか１項に記載の抽斗ケースの表示部カバー構造。
【請求項７】
抽斗ケース(１)の出し入れ側における上角縁(11)の上面(11a)と前面(11b)とを覆う表示カード(３)が、油性、または、水性の筆記用具により書込み、払拭可能で反復して使用可能な合成樹脂シートにより作製することを特徴とする求項１から３の何れか１項に記載の抽斗ケースの表示部カバー構造。
【請求項８】
抽斗ケース(１)の出し入れ側における上角縁(11)の少なくとも上面(11a)と前面(11b)の表面を、油性、または、水性の筆記用具により書き込みできて、かつ、払拭可能に構成することによって反復的に表示を変更して使用可能であることを特徴とする請求項１から３の何れか１項に記載の抽斗ケースの表示部カバー構造。
【発明の詳細な説明】
【技術分野】
【０００１】
本発明は、搬送カートなどに使用される抽斗ケースの表示機構部分の改良、更に詳しくは、搬送カートの如きラックフレーム付の移動台車に出し入れ可能に収納する抽斗ケースであって、当該抽斗ケースの出し入れ側から、収納されている収納物の情報を的確に視認することができ、しかも、その記載された情報が何かに触れて消えてしまったり、何処かに接触して汚損したりするおそれがない抽斗ケースの表示部カバー構造に関するものである。
【背景技術】
【０００２】
周知のとおり、医療機関や福祉施設等の医療行為を伴う施設においては、回診などで大量の医療器具や薬品を移動させる際に、搬送カートの如き抽斗ケースを備えたラックフレーム付の台車が利用されており、ラックフレーム内の抽斗ケースから収納物を間違いなく取り出せるように、ラベルシールなどの表示が付される。しかし、この方法では、収納物が変わるたびに頻繁にラベルシールを剥がしたりして交換をしなければならず、非効率的であった。
【０００３】
しかも、抽斗ケースを備えた搬送カートの表示は、当該抽斗ケースの正面からでなければ視認できず、下段を確認する場合には屈み込んで見る必要があり、膝や腰に負担が掛かって、作業を担当する看護師等の介護担当者の疲労は大きい。
【０００４】
このようなことから、搬送カートなどの移動台車に収容する抽斗ケースの表示機構部分については、正面以外からも正確に表示を視認することができるように改良が求められてきた。例えば、オフィス用のキャビネットや書類収納ケース等の分野では、様々な提案がなされている。特許文献１には、前方に傾斜した取っ手の上端に軸受を形成した凹部を設け、回転軸を備えたカバー部材を枢着して成り、カバー部材を回転させ下端の係止片を挿入溝に嵌め入れることで取っ手上の表示カードを固定する構造が開示されているが、書類ケースを重ねると下の段の表示が視認し難くなる、カバー部構造が複雑になってくるとカバー部材が外れ易いといった問題がある。また、特許文献２には、上端にスライド溝を設けた前方傾斜取っ手に、表面には透明カバー部を上下端には係止爪を備えた見出し板を係合して成り、見出し板とカバー部の間に表示カードを差し入れて表示部とするスライド可能な表示部構造が提案されているが、積み重ねた際の表示視認性は特許文献１に比べ向上しているが、段数が増加すると下段の表示が視認できない、表示カードを差し入れる構造のため浸水し易いといった問題がある。
【０００５】
更には、特許文献１、特許文献２の双方共、表示部を取っ手の一部にしか作れず、複数種の物品を一段に収納する場合には全ての収納物情報を表示できず、特許文献３のような仕切板の上部に表示部を設けたものを特別に使用する必要があり、仕切用表示カードへの記入等手間が増え効率が悪い。
【先行技術文献】
【特許文献】
【０００６】
【特許文献１】実用新案登録２５８９４７５号
【特許文献２】特開２００２−１７４９０号
【特許文献３】特開２０１２−１２０５０号
【発明の概要】
【発明が解決しようとする課題】
【０００７】
本発明は、上記の如き問題に鑑みて為されたものであり、その目的とするところは、表示スペースが広く、抽斗ケースを積み重ねた場合にも出し入れ側の正面、および上方から収納物情報を的確に視認できると共に、その表示部を保護するカバー部材も簡単に着脱でき、また、水切り機能を設けることによって水が懸かって表示が損なわれるのを防ぐことができる抽斗ケースの表示部カバー構造を提供することにある。
【課題を解決するための手段】
【０００８】
本発明者が上記課題を解決するために採用した手段は次のとおりである。
【０００９】
即ち、本発明は、搬送カート等のラックフレームＲに出し入れ可能に収納する抽斗ケース１と、この抽斗ケース１の出し入れ側の上角縁11の上面11aと、この上面11aの前端から屈曲して延びる前面11bとをカバーするための略Ｌ型を成す透視可能なアングルバー材２において、このアングルバー材２の両端には側板21・21を備え、かつ、この側板21・21の内面の下端近傍に係合部2a・2aを形成し、
このアングルバー材２がカバーする抽斗ケース１の前面側の左右上角側面11c・11cには、前記アングルバー材２の側板21・21を被せ、前記係合部2a・2aが位置したとき、この係合部2a・2aと係合して抜け出しを阻止する掛け止め部11d・11dを形成していることに特徴がある。
【００１０】
また、本発明は、搬送カート等のラックフレームＲに出し入れ可能に収納する抽斗ケース１と、この抽斗ケース１の出し入れ側の上角縁11の上面11aと、この上面11aの前端から屈曲して延びる前面11bとをカバーするための略Ｌ型を成す透視可能なアングルバー材２において、このアングルバー材２の両端には側板21・21を備え、かつ、この側板21・21の内面上部から下部に向けてガイドレール2b・2bを凸成し、かつ、このガイドレール2b・2bの下端近傍に係合部2a・2aを形成しており、
抽斗ケース１の前面側の左右上角側面11c・11cには、前記アングルバー材２の側板21・21を被せる際に、前記ガイドレール2b・2bと対向する位置にガイドスロット11e・11eが凹設すると共に、前記係合部2a・2aが位置したとき、この係合部2a・2aと係合して抜け出しを阻止する掛け止め部11d・11dを有する構成とすることで、上記アングルバー材２の離脱を防止することができる。
【００１１】
また更に、本発明は、搬送カート等のラックフレームＲに出し入れ可能に収納する抽斗ケース１と、この抽斗ケース１の出し入れ側の上角縁11の上面11aと、この上面11aの前端から屈曲して延びる前面11bとをカバーするための略Ｌ型を成す透視可能なアングルバー材２において、このアングルバー材２の両端には側板21・21を備え、かつ、この側板21・21の内面上部から下部に向けてガイドレール2b・2bを凸成し、かつ、このガイドレール2b・2bの下端近傍に係合部2a・2aを形成する一方、
このアングルバー材２が抽斗ケース１の上面11aに当接すべき上板22の後端縁は当該抽斗ケースの上面11aに掛合可能な引掛フック2cを形成しており、
更に、このアングルバー材２がカバーする抽斗ケース１の前面側の左右上角側面11c・11cには、前記アングルバー材２の側板21・21を被せる際に、前記ガイドレール2b・2bと対向する位置にガイドスロット11e・11eを凹設していると共に、前記係合部2a・2aが位置したとき、この係合部2a・2aと係合して抜け出しを阻止する掛け止め部11d・11dを有する構成とすることで水切り機能を保有させることが可能となる。
【００１２】
一方、抽斗ケース１の出し入れ側における上角縁11、および、抽斗ケース１の前面側の左右上角側面に被さるアングルバー材２を、透明な合成樹脂材料によって作製することで収納物情報を容易に視認することができると共に、耐薬品性・耐衝撃性に優れたカバー部材となる。
【００１３】
次いでまた、本発明においては、抽斗ケース１の出し入れ側における上角縁11の上面11a、および前面11bに、この上面11aと前面11bを覆う中折れ型の表示カード３を挿入可能に構成することによって収納物情報の記載変更を簡易迅速に行うことが可能となる。
【００１４】
また、本発明においては、抽斗ケース１の出し入れ側における上角縁11の上面11aと前面11bとを覆う表示カード３が紙材料で作製することにより表示カード３のコストを低減することができる。
【００１５】
更に、本発明においては、抽斗ケース１の出し入れ側における上角縁11の上面11aと前面11bとを覆う表示カード３が、油性、または、水性の筆記用具により書込み、払拭可能で反復して使用可能な合成樹脂シートにより作製することによって使い捨てでなく長期間使用できる表示カード３とすることができる。
【００１６】
また、本発明においては、抽斗ケース１の出し入れ側における上角縁11の少なくとも上面11aと前面11bの表面を、油性、または、水性の筆記用具により書き込みできて、かつ、払拭可能に構成することによって反復的に表示を変更して使用可能にすることで、簡便に収納物情報を記載することができる。
【発明の効果】
【００１７】
請求項１記載の発明によれば、最小限の技術的手段を採用することによって、出し入れ側の上角縁上面と、その前端から屈曲して延びる前面の広範囲に表示部が形成され、当該表示部の正面からだけでなく上側からも抽斗ケースに記載された収納物情報を的確に視認することが可能となる。しかも、アングルバー材の着脱は容易であるため、収納物が変更された場合の表示部書き換え変更も簡単に行える。
【００１８】
また、請求項２に記載の発明によれば、上角側面にガイドスロットを凹設すると共に、アングルバー材の側板にはガイドレールを凸設し、前記ガイドレールをガイドスロットに差し込み、係合部を掛け止め部に固定する構成とすることで、係合部を確実に掛け止め部へ導き、更には、着脱は容易なままでアングルバー材の離脱を防止する。
【００１９】
次いでまた、請求項３記載の発明によれば、水や薬液等の液体が懸かっても、略Ｌ型を成すアングルバー材が引き出しケースの出し入れ側の上角縁上面と前面を被覆し、かつ、当該アングルバー材に凸成した引掛フックが抽斗ケースの内面と掛合し、液体との接触を遮断するので、表示部に記載した情報や表示カードの文字が消去される憂いもない。
【図面の簡単な説明】
【００２０】
【図１】本発明に係る抽斗ケースの実施形態の全体的構成を表わす斜視図である。
【図２】本発明に係る抽斗ケースの実施形態のカバー部材と抽斗ケースの着脱構造を表わす斜視図である。
【図３】本発明に係る抽斗ケースの実施形態におけるカバー部材と抽斗ケースの着脱構造を表わす断面図である。
【図４】本発明を適用して構成した搬送カートを表わす斜視図である。
【図５】本発明の変形例を表わす斜視図である。
【発明を実施するための形態】
【００２１】
本発明を実施するための形態を、具体的に図示した図に基づいて、更に詳細に説明すると次のとおりである。
【００２２】
『第一実施形態』
本発明の実施形態を図１から図４に基づいて説明する。図中、符号１で指示するものは抽斗ケースであって、本実施形態において、抽斗ケース１は持続性帯電防止ABS樹脂で一体成型され、ABS樹脂で製造された搬送カート等のラックフレームＲに出し入れ可能に収納される。また、この抽斗ケース１の出し入れ側の上角縁11の上面11aと、この上面11aの前端から屈曲して延びる前面11bは表示部となる。なお、前記上面11a、および、前面11bは上角側面11c・11cを有しており、この上角側面11c・11cの上部から下部にかけてガイドスロット11e・11eが凹成されており、その下端近傍には掛け止め部11d・11dが設けられている(図１参照)。
一方、抽斗ケース１の背部上面、両側面が後方に延出され、各延出面を結合して支持体を形成している。
更に、抽斗ケース１の収納部各内面には、略Ｔ型の仕切保持部11gを複数対形成していると共に、引き出し側の内面上端に段縁部11fを凹設している。
【００２３】
また、符号２で指示するものはアングルバー材であり、本実施形態では、略Ｌ型を成しているアングルバー材２は、透明なポリカーボネート樹脂で作られており、その両端に同質の側板21・21を備え、この側板21・21の内面上部から下部にかけてガイドレール2b・2bが凸成され、かつ、ガイドレール2b・2bの下端近傍には係合部2a・2aが凸設されている。更に、アングルバー材２の上板22の後端縁には、当該抽斗ケース１の上面11aに掛合可能な引掛フック2cが形成されている。なお、前記アングルバー材２を被せる際に、ガイドスロット11e・11eにガイドレール2b・2bを差し込むことで、係合部2a・2aが確実に掛け止め部11d・11dに係合され、かつ、引掛フック2cが抽斗ケース１の段縁部11fに掛合する(図２および図３参照)。
【００２４】
更にまた、符号３で指示するものは表示カードであり、中折れ型に形成された表示カード３は、その上面と前面に収納物の情報を記入し、抽斗ケース１の上角縁11の上面11aと前面11bに裁量して使用する。本実施形態においては、紙材料で表示カード３を作成している。
【００２５】
まず、抽斗ケース１の上角縁11の上面11aと前面11bに、収納物情報を記入した紙製の表示カード３を裁量する。次いで、アングルバー材２のガイドレール2b・2bを抽斗ケース１のガイドスロット11e・11bに差し込み、アングルバー材２の上部を軽く押さえることでガイドレール2b・2bの下端に形成した係合部2a・2aが掛け止め部11d・11dに係合される。
また、アングルバー材２の上板22の後端縁に形成した引掛フック2cは、前述のガイドレールがガイドスロットに差し込まれた状態で軽く押さえつけることで抽斗ケース１の内面上端に凹設された段縁部11fに掛合され、水切り機能を構成する。
こうして構成される本発明の抽斗ケースの表示部カバー構造を備えた複数の抽斗ケースをラックフレームＲに収納することで抽斗棚や抽斗付きカートとなる(図４参照)。
【００２６】
『変形例』
本明細書と添付図に例示する本発明の実施形態は、概ね上記のとおりであるが、本発明は、前述の実施形態に限定されるものでは決してなく、「特許請求の範囲」の記載内において種々の変更が可能であることは言うまでもなく、例えば、次に挙げる変形例は本発明の技術範囲に属する。
【００２７】
本発明の変形例を図５に基づいて説明する。抽斗ケース１について、実施形態ではABS持続性帯電防止樹脂で一体成型されたとしたが、その他の樹脂材料、金属材料、木材、等を使用してもよく、収納物の重量に耐える強度が必要である。材質については、抽斗ケースを使用する環境に合わせて変更してもよく、例えば、医療機関等の衛生管理が必要な場所での使用にあたっては、抗菌性樹脂を使用したり、抗菌コーティングを施したりすることが望ましい。
また、実施形態では、抽斗ケース１の背部上面、両側面を後方に延出し、各延出面を結合して支持体を構成するとしたが、重い物を奥に収納し、重心を後方にすることで抽斗ケース１を支えることも可能なため、支持体を設けなくても良い(図５参照)。
更に、実施形態では仕切保持部11gを略Ｔ型としたが、上部から差し込むことができる溝状であっても良く、また、引き出し側の内面上端に凹設した段縁部11fを形成せず、アングルバー材２を後方に延長し、引掛フック2cを抽斗ケース１の内法に掛合可能にしても良い。
なお、製造については一体成型や、各部品を接合する方法を採用しても良い。
【００２８】
また、アングルバー材２は、実施形態において透明なポリカーボネート樹脂製の略Ｌ型のアングル材に同質の側面を取り付けたものとしたが、表示部が視認できる程度の透明度があればよく、アクリル樹脂(ＰＭＭＡ)のように透明な樹脂やポリプロピレン(ＰＰ)、ポリエチレン(ＰＥ)といった半透明の樹脂材料を使用し、一体成型したものでも良い。一方、集中的に人の手が触れる場所のため、抗菌コーティング等の衛生対策を行うと共に、耐薬品性と耐衝撃性の優れた材料で作られるのが好ましい。
【００２９】
更にまた、表示カードとして、紙材料で作成した表示カード３を使用する例を挙げたが、必ずしも表示カードは必要でなく、ホワイトボードのように表面に金属コーティングや樹脂コーティングを施したものやポリエチレンテレフタレート樹脂(ＰＥＴ)フィルムのような反復して書き消し可能な材料で作製することもできる。
【符号の説明】
【００３０】
１  抽斗ケース
11  上角縁
11a  上面
11b  前面
11c  上角側面
11d  掛け止め部
11e  ガイドスロット
11f  段縁部
11g  仕切保持部
２  アングルバー材
2a  係合部
2b  ガイドレール
2c  引掛フック
21  側板
22  上板
３  表示カード
Ｒ  ラックフレーム
【図１】
2014213168.tif 000003
【図２】
2014213168.tif 000004
【図３】
2014213168.tif 000005
【図４】
2014213168.tif 000006
【図５】
2014213168.tif 000007